【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
遊技者により遊技領域に遊技球を発射可能であり、遊技領域に設けられた通過領域を遊技球が通過したことにもとづいて普通識別情報の可変表示を開始して表示結果を導出表示する普通可変表示手段と、該普通可変表示手段に所定表示結果が導出表示された場合に開放状態に制御される可変入賞装置と、遊技球が入賞可能な第１始動領域と、該第１始動領域への遊技球の入賞または前記可変入賞装置に設けられている第２始動領域への遊技球の入賞にもとづいて識別情報の可変表示を開始して表示結果を導出表示する可変表示手段とを備え、前記可変表示手段に特定表示結果が導出表示された場合に遊技状態を遊技者にとって有利な特定遊技状態に移行させる遊技機であって、
所定の開始条件が成立すると、前記識別情報の可変表示を開始して可変表示の制御を行う可変表示制御手段と、
あらかじめ定められた順で、第１ステップ演出、第２ステップ演出および第３ステップ演出を段階的に実行するステップ演出実行手段とを備え、
前記ステップ演出実行手段は、
前記通過領域を遊技球が通過したことにもとづいて、前記普通可変表示手段に所定表示結果が導出表示されることを予告報知する第１ステップ演出を実行する第１ステップ演出実行手段と、
前記第１ステップ演出実行手段により前記第１ステップ演出が実行され、開放状態に制御された前記可変入賞装置における前記第２始動領域に遊技球が入賞したことを条件に、第２ステップ演出を実行する第２ステップ演出実行手段と、
前記第２ステップ演出実行手段により前記第２ステップ演出が実行され、前記識別情報の可変表示の開始を条件に、第３ステップ演出を実行する第３ステップ演出実行手段とを含む
ことを特徴とする遊技機。
【手続補正２】
【補正対象書類名】明細書
【補正対象項目名】００１２
【補正方法】変更
【補正の内容】
【００１２】
可変表示手段は、第１始動領域に遊技球が入賞したことにもとづいて第１識別情報の可変表示を開始して表示結果を導出表示する第１可変表示手段（例えば、第１特別図柄表示器８ａ）と、第２始動領域に遊技球が入賞したことにもとづいて第２識別情報の可変表示を開始して表示結果を導出表示する第２可変表示手段（例えば、第２特別図柄表示器８ｂ）とを含み、可変表示制御手段は、第１識別情報の可変表示を制御する第１可変表示制御手段（例えば、遊技制御用マイクロコンピュータ５６０において、特別図柄ポインタの値が「第１」である場合に、ステップＳ５５〜Ｓ７８の処理、ステップＳ３０１，Ｓ３０３の処理を実行する部分）と、第２識別情報の可変表示を制御する第２可変表示制御手段（例えば、遊技制御用マイクロコンピュータ５６０において、特別図柄ポインタの値が「第２」である場合に、ステップＳ５５〜Ｓ７８の処理、ステップＳ３０１，Ｓ３０３の処理を実行する部分）とを含み、第３ステップ演出実行手段は、第１識別情報の可変表示の実行時には第３ステップ演出を実行せず、第２識別情報の可変表示の開始時以降に第３ステップ演出を実行するように構成されていてもよい（図４３におけるステップＳ８２３，Ｓ８２４参照）。
【手続補正３】
【補正対象書類名】明細書
【補正対象項目名】００１８
【補正方法】変更
【補正の内容】
【００１８】
可変表示制御手段が、第２始動領域への遊技球の入賞にもとづく識別情報の可変表示の態様を、第１始動領域への遊技球の入賞にもとづく識別情報の可変表示の態様と異ならせるように構成されることによって、常時開放状態になっているわけではない第２始動領域への遊技球の入賞にもとづく識別情報の可変表示に遊技者の注目を集めることができるようになる。
【手続補正４】
【補正対象書類名】明細書
【補正対象項目名】００１９
【補正方法】変更
【補正の内容】
【００１９】
第３ステップ演出実行手段が、第１始動領域への遊技球の入賞にもとづく識別情報の可変表示の実行時には第３ステップ演出を実行せず、第２始動領域への遊技球の入賞にもとづく識別情報の可変表示の開始時以降に第３ステップ演出を実行するように構成されることによって、第３ステップ演出が第２始動領域への遊技球の入賞に関連付けられ、第２始動領域への遊技球の入賞にもとづく演出に遊技者の注目を集めることができるようになる。
【手続補正５】
【補正対象書類名】明細書
【補正対象項目名】００２０
【補正方法】変更
【補正の内容】
【００２０】
可変表示制御手段が、第１識別情報の可変表示を制御する第１可変表示制御手段と、第２識別情報の可変表示を制御する第２可変表示制御手段とを含み、第３ステップ演出実行手段が、第１識別情報の可変表示の実行時には第３ステップ演出を実行せず、第２識別情報の可変表示の開始時以降に第３ステップ演出を実行するように構成されることによって、第３ステップ演出が第２可変表示制御手段における第２識別情報の可変表示に関連付けられ第２始動領域への遊技球の入賞にもとづく演出に遊技者の注目を集めやすくなるとともに、第３ステップ演出に関連する識別情報の可変表示パターンの設定が容易になる。
【手続補正６】
【補正対象書類名】明細書
【補正対象項目名】００２１
【補正方法】変更
【補正の内容】
【００２１】
可変表示制御手段が、第１保留記憶手段および第２保留記憶手段に保留記憶が記憶されている場合には、第２保留記憶手段に記憶されている保留記憶にもとづいて識別情報の可変表示を開始し、第２可変入賞装置制御手段が、第１始動領域への遊技球の入賞にもとづいて開始された識別情報の可変表示の表示結果が特定表示結果である場合と、第２始動領域への遊技球の入賞にもとづいて開始された識別情報の可変表示の表示結果が特定表示結果である場合とで、特定遊技状態において第２可変入賞装置が第１状態に制御される回数の選択割合を異ならせるように構成されることによって、優先して消化される第２保留記憶手段に記憶されている保留記憶に対応する第２始動領域への遊技球の入賞に対する遊技者の期待感を向上させることができる。
【手続補正７】
【補正対象書類名】明細書
【補正対象項目名】００２２
【補正方法】変更
【補正の内容】
【００２２】
第２ステップ演出実行手段が、第１ステップ演出で画像表示装置に表示された画像を変化させた画像により第２ステップ演出を実行し、第３ステップ演出実行手段は、第２ステップ演出で画像表示装置に表示された画像を変化させた画像により第３ステップ演出を実行するように構成されることによって、第１ステップ演出、第２ステップ演出および第３ステップ演出を遊技者が認識しやすくなる上に、第１ステップ演出、第２ステップ演出および第３ステップ演出の関連性がより明確になる。
【手続補正８】
【補正対象書類名】明細書
【補正対象項目名】００２３
【補正方法】変更
【補正の内容】
【００２３】
第２ステップ演出実行手段が、第３ステップ演出実行手段により第３ステップ演出が開始されるまで継続して第２ステップ演出を実行するように構成されることによって、第１ステップ演出、第２ステップ演出および第３ステップ演出による一連の演出に対する遊技者の興味をそらせないようにすることができる。
【手続補正９】
【補正対象書類名】明細書
【補正対象項目名】００２４
【補正方法】変更
【補正の内容】
【００２４】
第１ステップ演出選択手段が、普通可変表示態様選択手段が選択した普通識別情報の可変表示の態様と開放態様選択手段が選択した開放態様とにもとづいて第１ステップ演出の種類を選択し、第２ステップ演出選択手段が、第１ステップ演出選択手段が選択した第１ステップ演出の種類にもとづいて第２ステップ演出の種類を選択するように構成されることによって、第１ステップ演出および第２ステップ演出の種類を増やすことができる上に、普通識別情報の可変表示および可変入賞装置への遊技球の入賞に関する演出と可変表示手段において実行される識別情報の可変表示とをより明確に関連させることができる。